(57)【要約】【課題】特に歩行が困難でベッド上に伏していて片手が不自由な男性などであっても便利且つ的確に排尿することのできるものとなす。【解決手段】起立台１の上部に支持台５を継手部６を介し前後傾斜角度の変更調整可能に設けると共に、該支持台５に前面部ｃ４の開口された収納枠体１２を案内部１５を介し前後移動可能に装着し、該収納枠体１２に尿器１１がこれの受け口ｄ１を前向きとなされて挿入されている構成となす。【選択図】図１
0003108577.tif 000002
【実用新案登録請求の範囲】
【請求項１】
起立台の上部に支持台を継手部を介し前後傾斜角度の変更調整可能に設けると共に、該支持台に前面部の開口された収納枠体を案内部を介し前後移動可能に装着し、該収納枠体に尿器がこれの受け口を前向きとなされて挿入されていることを特徴とする排尿用尿器保持具。
【請求項２】
前記支持台の前端部に第１操作摘み部を形成し、該第１操作摘み部に指力が付与されることにより、前記起立台がこれを支持した床面上を移動されたり前記支持台の前後傾斜が変更されることを特徴とする請求項１記載の排尿用尿器保持具。
【請求項３】
前記収納枠体に第２操作摘み部を形成し、該第２操作摘み部に上下向きの指力が付与されることにより前記収納枠体が前記支持台上で前後移動されることを特徴とする請求項１又は２記載の排尿用尿器保持具。
【請求項４】
前記支持台の前後傾斜角度が変更されることで前記尿器の受け口の高さが前記起立台を支持した床面から凡そ３００ｍｍ〜５００ｍｍ程度の範囲内で変化されることを特徴とする請求項１、２又は３記載の排尿用尿器保持具。
【請求項５】
前記継手部が前記支持台の前後傾斜の変更に要する回転力の大きさを大小に変更する機構を備えてなることを特徴とする請求項１、２、３又は４記載の排尿用尿器保持具。
【請求項６】
前記案内部が前記支持台上での前記収納枠体の前後変位に要する前後向き力の大きさを大小に変更する機構を備えてなることを特徴とする請求項１、２、３、４又は５記載の排尿用尿器保持具。
【請求項７】
少なくとも前記支持台、前記収納枠体及び前記尿器を外方から見えないようにしかも略気密状に覆うものとしたケースを脱着可能に装着される構成を特徴とする請求項１、２、３、４、５又は６記載の排尿用尿器保持具。
【考案の詳細な説明】
【技術分野】
【０００１】
本考案は、ベッド周りでの男性の排尿時に尿器を最適位置に保持させることのできる排尿用尿器保持具に関する。
【背景技術】
【０００２】
ベッド周りでの男性の排尿を便利となすため、ベッドの側枠部に支持棒を縦向きに係着すると共に、該支持棒の高さ方向個所に尿器を収容するための収納枠体の掛止穴を多数列設し、これら掛止穴のうち使用者に適した高さのものに収納枠体を掛け止めておくようになされる排尿用尿器保持具は存在している（特許文献１参照）。
【０００３】
該排尿用尿器保持具は例えばベッドに伏している男性などにより使用されるものであり、使用に際してベットから床面に降り、ベッドの側枠部まで伝い歩きし、凡そ使用者の大腿部上部高さに掛け止められた収納枠体に保持された尿器に向かい立ち、該尿器内に排尿するように使用される。
【０００４】
【特許文献１】特開２００４−１２１５５４号公報
【考案の開示】
【考案が解決しようとする課題】
【０００５】
上記した従来の排尿用尿器保持具においては、尿器まで歩行しなければならい不便があり、また片手が不自由な者であるとき、一方の手で身体の立ち姿勢を安定的に保持し、他方の手で衣服の開閉など排尿のための処理を行わなければならず、的確に排尿することは難しいのである。
【０００６】
本考案は、斯かる問題点に鑑みて創案されたものあり、特にベッド上に伏していて歩行が困難で片手が不自由な男性などであっても便利且つ的確に排尿することのできるものとした排尿用尿器保持具を提供することを目的とする。
【課題を解決するための手段】
【０００７】
上記目的を達成するため、本考案に係る排尿用尿器保持具は、請求項１に記載したように、起立台の上部に支持台を継手部を介し前後傾斜角度の変更調整可能に設けると共に、該支持台に前面部の開口された収納枠体を案内部を介し前後移動可能に装着し、該収納枠体に尿器がこれの受け口を前向きとなされて挿入されていることを特徴としている。
【０００８】
該考案は次のように具体化される。
即ち、請求項２に記載したように、前記支持台の前端部に第１操作摘み部を形成し、該第１操作摘み部に指力が付与されることにより、前記起立台がこれを支持した床面上を移動されたり前記支持台の前後傾斜が変更される構成となす。
【０００９】
また請求項３に記載したように、収納枠体に第２操作摘み部を形成し、該第２操作摘み部に上下向きの指力が付与されることにより収納枠体が支持台上で前後移動される構成となす。
【００１０】
また請求項４に記載したように、前記支持台の前後傾斜角度が変更されることで前記尿器の受け口の高さが起立台を支持した床面から凡そ３００ｍｍ〜５００ｍｍ程度の範囲内で変化される構成となす。
【００１１】
また請求項５に記載したように、前記継手部が前記支持台の前後傾斜の変更に要する回転力の大きさを大小に変更する機構を備えた構成となす。
【００１２】
また請求項６に記載したように、前記案内部が前記支持台上での収納枠体の前後変位に要する前後向き力の大きさを大小に変更する機構を備えた構成となす。
【００１３】
さらには請求項７に記載したように、少なくとも前記支持台、前記収納枠体及び前記尿器を外方から見えないようにしかも略気密状に覆うものとしたケースを脱着可能に装着される構成となす。
【考案の効果】
【００１４】
本考案によれば次のような効果が得られる。
即ち、請求項１記載のものによれば、特にベッド上に伏していて歩行が困難で片手が不自由な男性などであっても、ベッド縁に座した状態で、健常な方の手を使用して、起立台を床面上で押し引き移動させ、支持台を前後傾斜させ、支持台上で収納枠体を前後移動させることにより、尿器の受け口を自身の最適位置に位置させることができ、その後は本考案品から健常な手を離しても尿器は手を離した位置に保持させることができて、健常な方の手が自由に使える状態になり、排尿を他人の介護を要することなく便利且つ的確に行うことができるものとなる。
【００１５】
請求項２記載のものによれば、第１操作摘みを一方の手指で持って起立台や支持台を移動させることにより、起立台や支持台を使い勝手のよい位置に位置させることができるようになる。
【００１６】
請求項３記載のものによれば、第２操作摘みを一方の手指で持って収納枠体を前後移動させることにより、尿器の受け口を支持台の前後傾斜方向へ平行移動させることができるようになり、使い勝手が向上するものとなる。
【００１７】
請求項４記載のものによれば、支持台の前後傾斜角度の変更によりベッド縁に座した者の最適高さ位置に尿器の受け口を位置させることができ、使い勝手が向上するものとなる。
【００１８】
請求項５記載のものによれば、支持台の前後傾斜の変更に要する回転力の大きさを大小に変更させることができるため、支持台の前後傾斜変位に対する抵抗が変化しても該回転力を最適大きさに調整することができるものとなる。
【００１９】
請求項６記載のものによれば、収納枠体の前後変位に要する前後向き力の大きさを大小に変更することができるため、収納枠体の前後変位に対する抵抗が変化しても該前後向き力を最適大きさに調整することができるものとなる。
【００２０】
さらには請求項７に記載したように、支持台、収納枠体及び尿器が外方から見えないようになるため、周囲の者に汚物による不快感を与えないものとなり、また支持台、収納枠体及び尿器がケースで略気密状に覆われるようになるため、悪臭が周囲に放散されるのを阻止することができる。
【考案を実施するための最良の形態】
【００２１】
以下、本考案の実施の形態について説明する。
図１は本考案に係る排尿用尿器保持具の使用状態を示す側面図、図２は前記排尿用尿器保持具の収納状態を示す正面図、図３は前記排尿用尿器保持具の尿器と収納枠体を示す図、図４は前記排尿用尿器保持具を使用して排尿する時の様子を示す説明図である。
【００２２】
図１及び図２に示すように、本考案に係る排尿用尿器保持具は起立台１を備えており、該起立台１は下面の適当に離れた４個所に支持輪２を装着された台板３と該台板３から起立された支柱部材４からなっている。支柱部材４の上端部の高さは支持輪２を支持した床面ａから凡そ２００ｍｍ程度となされている。
【００２３】
支柱部材４の上端には支持台５が継手部６を介して連設されている。該支持台５は前後方向ｆ１へ長く左右方向へ水平な平板体５ａになされると共に、該平板体５ａの巾中央の前後向き部分を透孔ｂ１となされ、前端縁を下方へ屈曲されて第１操作摘み部ｂ２となされている。該支持台５の前後方向長さは凡そ３００ｍｍ程度となされる。
【００２４】
継手部６は支柱部材４の上端と同体状に設けられた左右一対の軸受腕部７ａ、７ｂと、これら軸受腕部７ａ、７ｂ間に配置された可動腕部８とを備え、これら軸受腕部７ａ、７ｂと可動腕部８とを横向き軸体９で結合したものとなされている。そして、横向き軸体９は一端に回転操作部９ａを備えたものとなされており、また各軸受腕部７ａ、７ｂの可動腕部８側には、可動腕部８に抵抗を付与するものであってスプリング又は皿バネなどの弾性部材や環状介装板などからなる第１弾性抵抗付与手段１０、１０が設けられている。
【００２５】
これにより継手部６は回転操作部９ａが回転操作されることに関連して、該第１弾性抵抗付与手段１０、１０から可動腕部８に付与する抵抗を大小に変更調整されるのであり、該抵抗が大となることにより可動腕部８の回動変位に要する回転力が大きくなり、逆に該抵抗が小となることにより可動腕部８の回動変位に要する回転力が小さくなるように機能するものとなる。
【００２６】
支持台５上には尿器１１を挿入される収納枠体１２を備えており、該収納枠体１２は図３に示すように、左側面部ｃ１をなす棒部材部分ｃ１０と、右側面部ｃ２をなす棒部材部分ｃ２０と、下面部ｃ３をなす棒部材部分ｃ３０及び板部材ｃ３１とを備えると共に、前面部ｃ４が開口となされ、後面部ｃ５が左右側面部ｃ１、ｃ２の間に棒部材ｃ５０を架設されて閉鎖され、左右側面部ｃ１、ｃ２のそれぞれの上端間が数ｃｍ程度離間され、左右側面部ｃ１、ｃ２のそれぞれの前端縁の上下方向中央個所に第２操作摘み部としての板片ｃ１１、ｃ２１が側方への張り出し状に固着されるほか、板部材ｃ３１の下面の前後２個所のそれぞれから下向きへネジ部材１３、１３が突設されたものとなされている。
【００２７】
これらネジ部材１３、１３は支持台５の透孔ｂ１に挿通された状態で支持台５の下面側からナット体１４、１４を螺着されており、また支持台５の下面とナット体１４との間にはスプリング又は皿バネなどの弾性部材や環状介装板などからなる図示しない第２弾性抵抗付与手段が装着されており、収納枠体１２は透孔ｂ１内でネジ部材１３、１３が前後方向ｆ１へ変位し得る範囲内で支持台５上を摺動変位し得るものとなされている。この際、ネジ部材１３、ナット体１４及び第２弾性抵抗付与手段が収納枠体１２の案内部１５をなすものであり、該案内部１５はナット体１４を回転操作することにより収納枠体１２と支持台５との前後方向変位に対する抵抗が大小に変更調整されるものとなされている。
【００２８】
尿器１１は収納枠体１２の前面部ｃ４から挿入されるものであり、図３に示すように尿供給部としての受け口ｄ１を本体部ｄ２の前部に有し、本体部ｄ２の上面前寄り個所に把手部ｄ３を有している。該尿器１１が収納枠体１２に挿入された状態では、受け口ｄ１が支持台５から前上方へ張り出し、本体部ｄ２の下寄り部分が収納枠体１２内に位置され、把手部ｄ３が左右側面部ｃ１、ｃ２のそれぞれの上端間から上方へ突出し、本体部ｄ２の後端が収納枠体１２の後面部ｃ５で支持された状態なされる。
【００２９】
支柱部材４、支持台５、収納枠体１２及び尿器１１は外方から見えないようにケース１６で覆われており、該ケース１６は明るい色彩を施された合成樹脂製のもので側面部ｅ１及び頂面部ｅ２を有し、頂面部ｅ２の上側に凹み部ｅ３を形成されたものとなされている。この際、ケース１６の下端縁は台板３の外周囲の段部３ａに上側から嵌合されて位置決めされている。
【００３０】
次に本考案品の使用例を図４をも参照して説明する。
ベッドｇに伏していて歩行が困難で片手が不自由な男性が排尿するときは、ベッドｇ縁に座して、ベッドｇ近傍に置いてある本考案品を手で押し引きして使用し易い位置まで移動させ、ここで図２に示す状態のケース１６を上方へ引き上げて起立台１上から抜き外す。この際、床面ａに支持された支持輪２が本考案品の床面上での移動を円滑となす。
【００３１】
次に健常な側の手指で第１操作摘み部ｂ２を摘んで、本考案品をこれの前側が使用者側へ向かう姿勢として使用者の両脚の間に位置させ、支持台５の前後傾斜を変化させて尿器１１の受け口ｄ１の高さを凡そ大腿部の上部に合致させる。
【００３２】
この後、健常な側の手指を第１操作摘み部ｂ２から離す。手を離された後の支持台５は継手部６の横向き軸体９周りの抵抗で、手を離す前の前後傾斜姿勢を保持される。そして、使用者は自由になった健常な側の手で衣服などを開放するなどの準備をした後、第２操作摘み部ｃ１１、ｃ２１を摘んで収納枠体１２をこれに収納された尿器１１と一緒に支持台５上で案内部１５の案内作用を介して引き上げ、尿漏れのしない状態となした後、尿器１１内に受け口ｄ１を通じて排尿する。
【００３３】
排尿の終了した後は、第１操作摘み部ｂ２を摘んで収納枠体１２を尿器１１と一緒に斜め前下方へ押しさげるのであり、この状態で衣服を元に戻す。次に第２操作摘み部ｃ１１、ｃ２１を摘んで支持台５を図１の仮想線で示すように起立させ、この後に、尿器１１、収納枠体１２、支持台５及び支柱部材４の外方を覆うようにケース１６を挿着し図２に示す状態とする。
【図面の簡単な説明】
【００３４】
【図１】本考案に係る排尿用尿器保持具の使用状態を示す側面図である。
【図２】前記排尿用尿器保持具の収納状態を示す正面図である。
【図３】前記排尿用尿器保持具の尿器と収納枠体を示す図である。
【図４】前記排尿用尿器保持具を使用して排尿する時の様子を示す説明図である。
【符号の説明】
【００３５】
１  起立台
５  支持台
６  継手部
１１  尿器
１２  収納枠体
１５  案内部
１６  ケース
ｂ２  第１操作摘み部
ｄ１  受け口
ｃ４  前面部
ｃ１１  第２操作摘み部
ｃ２１  第２操作摘み部
【図１】
0003108577.tif 000003
【図２】
0003108577.tif 000004
【図３】
0003108577.tif 000005
【図４】
0003108577.tif 000006